(57)【特許請求の範囲】
【請求項１】
閉鎖する二つの被着物にまたがって貼り付けられる改ざん防止シールにおいて、
シート状のシール基材と、
上記シール基材の一方の側面に塗布され上記被着物に粘着する粘着層と、
上記シール基材に形成され上記被着物に貼り付けられたときに上記二つの被着物にまたがる区分に連続して渦巻き状に形成された１本の切断線と、
上記切断線の渦巻きの間に挟まれ切り残されて形成され、上記切断線が設けられた上記シール基材のうちの上記切断線よりも内側部分と上記切断線よりも外側部分とを連結した連結部と、
上記粘着層の一部分であって、上記切断線の一部を除く領域に設けられ上記粘着層の粘着性を落とした糊殺し部とを備え、
上記連続した切断線は、上記二つの被着物に貼り付けられた状態で、上記糊殺し部内で上記二つの被着物の境界線と複数回交差可能に形成されていることを特徴とする改ざん防止シール。
【発明の詳細な説明】
【技術分野】
【０００１】
この発明は、薬剤や食品等の商品を収容した包装用箱の蓋等の封止に用いられる改ざん防止シールに関する。
【背景技術】
【０００２】
従来、保管の際に管理を必要とするような、劇薬や麻薬成分が含まれている医薬品等の商品を包装する包装用箱は、改ざん防止のために、包装用箱の側面とこの側面を閉鎖する上蓋片が、改ざん防止機能を有するシールで封止されている。改ざん防止機能を有するシールとして、剥がした後の痕跡が粘着相手やテープ自身に明確に残るものが、特許文献１に開示されている。これは、開封するときテープの印刷の一部が包装用箱に転写され、開封した後に貼り付けたテープであるか、未開封の状態であるのかを明確に識別することができるものである。
【特許文献１】特開２００３−３３０３７０号公報
【発明の開示】
【発明が解決しようとする課題】
【０００３】
上記従来の特許文献１に開示されている技術の場合、丁寧に剥がして元に戻すと改ざんした痕跡がわかりにくくなることがある。また、包装用箱の上蓋片と側面の境界に沿ってカッターなどできれいに切断した場合、上蓋片と側面の隙間がほとんど開かないようないような箱体構造では、開封したことがわかりにくいことがある。
【０００４】
この発明は、上記従来の技術の問題点に鑑みてなされたものであり、簡単な構造で、確実に改ざん防止効果を有する改ざん防止シールを提供することを目的とする。
【課題を解決するための手段】
【０００５】
本発明は、閉鎖する二つの被着物にまたがって貼り付けられる改ざん防止シールにおいて、シート状のシール基材と、上記シール基材の一方の側面に塗布され上記被着物に粘着する粘着層と、上記シール基材に形成され上記被着物に貼り付けられたときに上記二つの被着物にまたがる区分に連続し渦巻き状に形成された１本の切断線と、上記切断線の間に挟まれるとともに切り残されて形成され、上記切断線が設けられた上記シール基材のうちの上記切断線よりも内側部分と上記切断線よりも外側部分とを連結した連結部と、上記粘着層の一部分であって、上記切断線の一部を除く領域に設けられ上記粘着層の粘着性を落とした糊殺し部とを備え、上記連続した切断線は、上記二つの被着物に貼り付けられた状態で、上記糊殺し部内で上記二つの被着物の境界線と複数回交差可能に形成されている改ざん防止シールである。
【発明の効果】
【０００６】
本発明の改ざん防止シールは、被着物に貼り付けられた状態で、二つの被着物の境界に沿ってカッターで分割されると、糊殺し部にある切断線の内側の部分や連結部が浮き上がったり、欠損したりして変形する。これにより、開封した痕跡が確実に残り、確実な改ざん防止効果を有する。従って、簡単な構造で、改ざん防止効果が高く、包装されている商品を確実に保護することができる。また、改ざん防止シールが剥がされると、糊殺し部の範囲の外側にある切断線の間の連結部等が浮き上がり、開封した痕跡が確実に残る。
【発明を実施するための最良の形態】
【０００７】
以下、この発明の実施形態について図面に基づいて説明する。図１〜図３はこの発明の実施形態を示すもので、この実施形態の改ざん防止シール１０は、合成樹脂フィルムで作られたシール基材１２が設けられ、シール基材１２は長方形に形成され、四つの角部は丸められている。シール基材１２のほぼ中心には、２重〜３重の渦巻状の曲線の切断線１４が形成されている。切断線１４は、シール基材１２の一部を分離することなく、後述する糊殺し部１８の外側部分につながった連結部１５を有して形成されている。
【０００８】
シール基材１２の一方の側面１２ａには、粘着剤が設けられた粘着層１６が形成されている。粘着層１６の、シール基材１２と反対側に位置する面１６ａには、切断線１４の大部分を含む区分に、粘着層１６の粘着性をなくす糊殺し部１８が印刷等により設けられている。糊殺し部１８は、シール基材１２のほぼ中心に位置し、シール基材１２の長手方向に対して直角な方向が長い長方形に形成されている。
【０００９】
また、粘着層１６のシール基材１２と反対側に位置する面１６ａには、糊殺し部１８及び粘着層１６ａを覆って図示しない剥離紙が取り付けられている。
【００１０】
次にこの実施形態の改ざん防止シール１０の使用方法について説明する。まず、図３に示すように紙製等のブランクシートを打ち抜いて組み立てられた包装用箱２０があり、包装用箱２０には、４枚の側面２２と、その中の一側面２２から連続し側面２２で囲まれた開口部を閉鎖する上蓋片２４が、折罫線２５を介して設けられている。上蓋片２４の先端縁部には、対面する側面２２の内側に差し込まれる差込片２６が、折罫線２８を介して設けられている。
【００１１】
そして、包装用箱２０の中に医薬品や食品等の商品を入れ、上蓋片２４を折罫線２５でほぼ直角に折り曲げて側面２２に閉じ、差込片２６を折罫線２８でほぼ直角に折り曲げて対面する側面２２の内側に差し込んで係止し、商品を包装する。次に図３（ａ）に示すように改ざん防止シール１０を、上蓋片２４と、差込片２６が差し込まれた側面２２にまたがって貼付する。このとき、改ざん防止シール１０の長手方向が、側面２２と上蓋片２４の境界線に対して直交する方向にする。そして改ざん防止シール１０のほぼ中心が、側面２２と上蓋片２４の境界線に一致するように位置させる。このとき、切断線１４と糊殺し部１８が、側面２２と上蓋片２４の境界にまたがっている。そして、改ざん防止シール１０の粘着力により、上蓋片２４を側面２２に固定し開口部を閉鎖する。
【００１２】
包装用箱２０を開封するとき、改ざん防止シール１０を側面２２と上蓋片２４の境界に沿ってカッターで分割する。すると、図３（ｂ）に示すように、シール基材１２のほぼ中心が分割され、切断線１４と連結部１５、及び糊殺し部１８も切断され、渦巻き状の切断線１４は糊殺し部内１８で約半円に分割される。これによりシール基材１２から切り取られた半円のパーツ１３は、糊殺し部１８により包装用箱２０に粘着されていないため、外れて落下する。シール基材１２の、この半円のパーツ１３の外周側には、切断線１４の外周部分により切り取られた半月形の連結部１５が残される。半月形の連結部１５は、一部が糊殺し部１８から外れて粘着層１６により包装用箱２０に粘着されたり、シール基材１２と連続したりして落下しないが、シール基材１２が分割された両端部付近は糊殺し部１８により包装用箱２０に粘着されていないため、包装用箱２０から浮き上がり、変形する。
【００１３】
また、改ざん防止シール１０を分割せずに剥がした場合、剥がすときにシール基材１２に加えられた力により、切断線１４でシール基材１２が互いに分離して、シール基材１２が変形し、復元することが不可能となる。
【００１４】
この実施形態の改ざん防止シール１０によれば、簡単な構造で確実に開封した痕跡が残り、開封前の状態に復元することが不可能であり、高い改ざん防止効果を有している。このため、包装されている商品を確実に保護することができる。改ざん防止シール１０の開封前は、切断線１４が粘着層１６により連結されているため、変形せず、取り扱いが容易である。
【００１５】
なお、改ざん防止シール１０は、図４に示すように、一つの切断線１４に対して、糊殺し部１８が二箇所に分離して設けられても良い。また、図５に示すように、切断線１４及び糊殺し部１８が２カ所に分かれて形成されていても良い。
【００１６】
さらに、その他の改ざん防止シールの切断線の形状は、適宜変更可能なものであり、確実に改ざんの痕跡が残るものであればよい。例えば、図６に示す切断線３４のように、波形に形成された何れかが、糊殺し部１８内で包装用箱の側面と上蓋片の境界線と複数回交差するように設けられているものでも良い。これによっても、上記と同様に、確実に開封の痕跡が残る。
【００１７】
この他、図７に示すように、粘着層１６から糊殺し部１８に亘って形成された切断線３６と糊殺し部１８内に形成された切断線３７がＵ字形に形成され、Ｕ字形の底部がシール基材１２の中心に向きＵ字形の開口部が外側を向くようにして、等間隔の放射状に４個が配置されているものでも良い。さらに、図８に示す切断線３９のように、温泉のマーク等の図形でも良く、糊殺し部１８内の湾曲した切断線３８でも良い。切断線３８，３９は、温泉のマークに限定されず、他のマークや文字等でも良い。これらの曲線状の切断線は、そのうちの何れかが糊殺し部１８内で、包装用箱の側面と上蓋片の境界線に対して複数回交差するものである。
【００１８】
その他、図９に示す切断線４１，４２は、ひし形に形成され互いに対向する２箇所の角部が切り残された連結部４３となっている。このひし形が７個、上下左右に並べられて、切断線４１は糊殺し部１８内に設けられ、切断線４２は糊殺し部１８とその周辺に跨って配置されている。切断線４１，４２は、ひし形以外に円形やその他の多角形でも良く、大きさも自由に設定可能である。また、配置する個数や間隔も変更可能である。これらの切断線４１，４２も、何れかが糊殺し部１８内で、包装用箱の側面と上蓋片の境界線に対して複数回交差する。
【００１９】
図１０に示す切断線４４は、互いに平行な複数本の長い直線４４ａがシール基材１２の長手方向に対してほぼ４５°に交差して設けられ、長い直線４４ａからは隣接する長い直線４４ａに向かって短い直線４４ｂが長い直線４４ａに対して直角に分岐して設けられ、格子模様のようになっている。短い直線４４ｂは一方の長い直線４４ａに連通し、他方の長い直線４４ａとの間には連結部４５が設けられている。なお、長い直線４４ａと短い直線４４ｂの向きは、自由に変更可能であり、反対側に４５°に傾斜したり、平行や垂直にしても良い。
【００２０】
図１１に示す切断線４５，４６は、シール基材１２の中心に設けられた４重の同心の円である。そして、切断線４５が糊殺し部１８内に設けられ、切断線４６は糊殺し部１８とその周辺に跨って配置されている。各円には、直径方向に位置する２箇所に連結部４７が設けられている。なお、切断線４６はこのような同心円が二個以上設けられたり、半径方向に分割されたりしたものでもよい。また、円以外に、多角形や楕円の相似形が同心に重ねられたものでも良い。
【００２１】
この改ざん防止シールの切断線の形状は上記以外に自由に変更可能であり、またシール基材の素材等もフィルム以外に紙やその他シート状のものであれば良く、適宜変更可能である。糊殺し部も、必ずしも設ける必要はなく、形成しないものでも良い。また、被着物は包装用箱以外に袋体や封筒、包装紙等でもよい。
【図面の簡単な説明】
【００２２】
【図１】この発明の一実施形態の改ざん防止シールの正面図である。
【図２】図１のＡ−Ａ線縦断面図である。
【図３】この実施形態の改ざん防止シールの使用状態を示す斜視図（ａ）と、開封した状態を示す斜視図（ｂ）である。
【図４】改ざん防止シールの変形例を示す正面図である。
【図５】改ざん防止シールの変形例を示す正面図である。
【図６】その他の改ざん防止シールの変形例を示す正面図である。
【図７】その他の改ざん防止シールの変形例を示す正面図である。
【図８】その他の改ざん防止シールの変形例を示す正面図である。
【図９】その他の改ざん防止シールの変形例を示す正面図である。
【図１０】その他の改ざん防止シールの変形例を示す正面図である。
【図１１】その他の改ざん防止シールの変形例を示す正面図である。
【符号の説明】
【００２３】
１０  改ざん防止シール
１２  シール基材
１４  切断線
１５  連結部
１６  粘着層
１８  糊殺し部
２０  包装用箱
２２  側面
２４  上蓋片
【図１】
0004583092.tif 000002
【図２】
0004583092.tif 000003
【図３】
0004583092.tif 000004
【図４】
0004583092.tif 000005
【図５】
0004583092.tif 000006
【図６】
0004583092.tif 000007
【図７】
0004583092.tif 000008
【図８】
0004583092.tif 000009
【図９】
0004583092.tif 000010
【図１０】
0004583092.tif 000011
【図１１】
0004583092.tif 000012